【手続補正書】
【提出日】平成19年10月30日(2007.10.30)
【手続補正１】
【補正対象書類名】明細書
【補正対象項目名】特許請求の範囲
【補正方法】変更
【補正の内容】
【特許請求の範囲】
【請求項１】  ハウジングと、
ハウジング内に配置されて呼吸気体の流れを発生する圧力発生システムと、
ハウジング内に配置されて、圧力発生システムに通信接続される制御装置と、
情報記憶装置を選択的に嵌合される大きさでハウジングの外面に形成されたスロットと、
スロット内に配置された情報記憶装置に応答して、情報記憶装置を制御装置に対して通信接続しかつスロットに設けられた端子とを備え、
制御装置は、端子を通じて（１）情報記憶装置からの情報の読み出し及び（２）情報記憶装置への情報の書き込みの少なくとも一方を実行し、かつ、圧力発生システムの動作を制御して、被験者の呼吸サイクルの呼気段階及び吸気段階の両期間に、被験者の閉塞性睡眠時無呼吸の治療に充分な圧力に相当する呼吸気体流の圧力を実質的に一定に維持することを特徴とする圧力支援システム。
【請求項２】  （１）呼吸気体の流量、（２）呼吸気体流の圧力及び（３）圧力支援装置を使用する被験者の状態に関する特性を測定する少なくとも１つのセンサを備え、センサの出力が制御装置に供給される請求項１に記載の圧力支援システム。
【請求項３】  圧力発生システムは、
圧力発生装置と、
圧力発生装置に接続されかつ圧力発生装置によって被験者に供給される呼吸気体の１）圧力及び２）流量を制御する制御装置に作動接続された圧力制御装置とを備える請求項１に記載の圧力支援システム。
【請求項４】  制御装置に作動接続された入力／出力装置を備える請求項１に記載の圧力支援システム。
【請求項５】  制御装置に作動接続されかつ圧力支援装置の使用状態を監視する計時装置を備える請求項１に記載の圧力支援システム。
【請求項６】  圧力支援装置と、情報記憶装置とを備え、
圧力支援装置は、
ハウジングと、
ハウジング内に配置されて呼吸気体の流れを発生する圧力発生システムと、
圧力発生システムに通信接続されてハウジング内に配置され、圧力発生システムの動作を制御する制御装置と、
ハウジングの外面に形成されるスロットと、
スロットに接続された端子とを備え、
スロット内に選択的に配置された情報記憶装置は、
（ａ）情報記憶装置自体を表示する情報、及び（ｂ）情報記憶装置が割り当てられたユーザを識別する情報の少なくとも１つを含む識別記憶領域と、
（ａ）圧力支援装置の動作制御に使用する情報を含む第１の情報記憶領域及び（ｂ）圧力支援装置によって書き込まれるデータを記憶するデータ記憶領域の少なくとも１つとを備え、
制御装置は、スロット内に配置される情報記憶装置に応答して、端子を通じて情報記憶装置に通信接続され、端子を通じて（ａ）情報記憶装置からの読み出し及び（ｂ）情報記憶装置への書き込みの少なくとも一方を実行することを特徴とする圧力支援システム。
【請求項７】  スロット内に選択的に配置されるアダプタを備え、アダプタは、制御装置とスロット内への挿入に応答する外部装置との間で通信アクセスを可能とする請求項６に記載の圧力支援システム。
【請求項８】  圧力支援装置は、制御装置に作動接続されかつ圧力支援装置の使用状態を監視する計時装置を備える請求項６に記載の圧力支援システム。
【請求項９】  第１の情報記憶領域は、圧力支援装置の動作モードを指定する動作モード情報と、圧力支援装置の動作パラメータを指定する動作パラメータ情報とを含む第１の領域を備える請求項６に記載の圧力支援システム。
【請求項１０】  呼吸気体の流れを発生する圧力発生手段と、
圧力発生手段の動作を制御して、被験者の呼吸サイクルの呼気段階及び吸気段階の両期間に、被験者の閉塞性睡眠時無呼吸の治療に充分な圧力に相当する呼吸気体流の圧力を実質的に一定に維持する制御手段と、
圧力発生手段及び制御手段を収容する収容手段と、
収納手段に連結されて情報記憶装置を収納する収納手段と、
収納手段内に保持すべき情報を記憶する情報記憶装置と、
（ａ）情報記憶手段から制御手段への第１の方向及び（ｂ）収納手段に保持された情報記憶手段に応答して制御手段から情報記憶手段への第２の方向の少なくとも１つの方向に情報を伝送する通信手段とを備えることを特徴とする圧力支援システム。
【請求項１１】  予め決められた状態の発生に応答して、収納手段から情報記憶手段を除去することをユーザに促す過程を含む請求項１０に記載の圧力支援システム。
【請求項１２】  予め決められた状態は、情報記憶装置に対する医療機器の通信故障状態と、
圧力支援装置のスロット内に情報記憶装置を配置した後の予め決められた時間の経過状態と、
予め決められた許容限界値を超えるデータを情報記憶装置に蓄積する状態とを含む請求項１１に記載の圧力支援システム。
【請求項１３】  圧力発生手段の使用状態を監視する監視手段を備え、通信手段は、圧力発生装置の使用に関する情報を情報記憶手段に書き込む請求項１０に記載の圧力支援システム。
【請求項１４】  制御手段は、情報記憶手段内に保持された情報に基づいて圧力発生手段の動作を制御する請求項１０に記載の圧力支援システム。
【請求項１５】  情報記憶装置からの動作情報が最初に圧力支援装置に供給された後、報記憶手段からの動作情報を制御手段が受け取ることを防止する手段を備える請求項１０に記載の圧力支援システム。
【請求項１６】  収納手段の少なくとも一部に収納可能な大きさを有しかつ収納手段への外部装置の配置に応答して、制御手段と外部装置との間に通信リンクとなるアダプタを備える請求項１０に記載の圧力支援システム。
【請求項１７】  ハウジングと、
ハウジング内に配置されて呼吸気体の流れを発生する圧力発生装置と、
圧力発生装置と通信可能にハウジング内に配置されて、圧力発生装置の動作を制御して被験者の呼吸サイクルの呼気段階及び吸気段階の両期間に、被験者の閉塞性睡眠時無呼吸の治療に充分な圧力に相当する呼吸気体流の圧力を実質的に一定に維持する制御装置と、
制御装置と通信接続されかつ送受信装置の付近に配置された情報記憶装置に応答して、情報記憶装置を制御装置に通信接続する送受信装置とを備え、制御装置は、送受信装置を通じて（１）情報記憶装置からの情報の読み出し及び（２）情報記憶装置への情報の書き込みの少なくとも一方を実行することを特徴とする圧力支援システム。
【請求項１８】  外面にスロットを形成した圧力支援装置を準備する過程と、
スロット内に選択的に嵌合可能な大きさを有する情報記憶装置を準備する過程と、
情報記憶装置をスロット内に挿入する過程と、
スロット内に配置された情報記憶装置に応答して、情報記憶装置から医療機器に第１の情報を伝送する過程と、
第１の情報に基づいて圧力支援システムの処理（一括バッチ処理）を行う過程とを含み、
第１の情報は、圧力支援装置の動作モードを指定する動作モード情報と、圧力支援装置の動作パラメータを指定する動作パラメータ情報とを含み、第１の情報に基づいて圧力支援システムの処理を行う過程は、動作モード情報により指定された動作モードに相当する圧力支援システムの動作モードを設定する過程と、動作モード情報により指定された動作パラメータに相当する圧力支援システムの動作パラメータを設定する過程とを含むことを特徴とする圧力支援システムの形成法。
【請求項１９】  情報記憶装置からの第１の情報が最初に医療機器に供給された後、情報記憶装置から情報を圧力支援システムが受け取ることを防止する過程を含む請求項１８に記載の圧力支援システムの形成法。
【請求項２０】  圧力支援システムの使用状態を監視する過程と、
圧力支援システムの使用に関する情報を情報記憶装置に書き込む過程とを含む請求項１８に記載の圧力支援システムの形成法。
【手続補正２】
【補正対象書類名】明細書
【補正対象項目名】００７４
【補正方法】変更
【補正の内容】
【００７４】
図示の実施の形態では、持続気道陽圧処方に対する処方情報ブロック112aは、自動オンデータブロック122及び自動オフデータブロック124を備える。「オートオン」の特徴は、被験者が被験者界面装置に向かって呼吸を開始するまで、圧力支援装置が圧力支援治療を開始しない圧力支援システムである。「オートオフ」の特徴は、予め決められた時間の間、被験者が被験者界面装置に向かう呼吸を停止するとき、圧力支援装置が圧力支援治療を自動的に停止する圧力支援システムである。オートオン及びオートオフを個別に又は同時に使用して、圧力支援システムを制御することができる。エステスその他名義の米国特許第５,５５１,４１８号は、オートオン及びオートオフの特徴を開示する。オートオンデータブロック122内の情報は、オートオン機能を付勢し又は消勢するかを決定し、オートオフデータブロック124内の情報は、オートオン機能を付勢し又は消勢するかを決定する。